(57)【要約】      （修正有）【課題】広告表示等の表示媒体を容易に変更できる表示媒体交換式の足拭きマットを提供する。【解決手段】床面に載置される足拭きマット１であって、上面に足拭き用のマット層１９が形成された基本ゴムシート５の一部に、表示媒体をセットするための、マット層が形成されていない媒体設置領域（セット箇所）が形成され、そのセット箇所と実質的に同様の形状及び大きさを有するベースゴム片３を剥離可能に接着または着脱可能に載置する。ベースゴム片３の表面に表示シート２が粘着層を介して剥離可能に貼り付けられ、表示媒体の内容を変更する際には、ベースゴム片３を別の表示媒体が表現されたベースゴム片３に置換するか、ベースゴム片３の表面に貼られている表示シートを剥がして別の表示シート２が貼着される。【選択図】図２
0003174203.tif 000002
【実用新案登録請求の範囲】
【請求項１】
床面に載置される足拭きマットであって、
下面が床面への接触面となり、上面に足拭き用のマット層が形成された基本ゴムシートの一部に、表示媒体をセットするための、マット層が形成されていない媒体設置領域が形成され、
前記媒体設置領域に、その領域と実質的に同様の形状及び大きさを有するベースゴム片を剥離可能に接着または着脱可能に載置するとともに、ベースゴム片の表面に表示媒体となる表示シートが粘着層を介して貼り付けられ、
表示媒体の内容を変更する際には、前記ベースゴム片を別の表示媒体が表現されたベースゴム片に置換するか、前記ベースゴム片の表面に貼られている表示シートを剥がして別の表示シートが貼着される表示媒体交換式の足拭きマット。
【請求項２】
前記ベースゴム片を載置する位置に、前記ベースゴム片を嵌め込む凹部が形成された前記基本ゴムシートを有する請求項１に記載の表示媒体交換式の足拭きマット。
【請求項３】
前記ベースゴム片は、裏面に粘着層及び前記基本ゴムシート表面に接着するまで粘着層を被覆する剥離紙を含む請求項１又は２に記載の表示媒体交換式の足拭きマット。
【請求項４】
前記表示シートは、表示面及びシート本体を含み、
前記シート本体は、裏面に前記粘着層及び前記ベースゴム片へ剥離可能に接着するまで粘着層を被覆する剥離紙を含む請求項１ないし３のいずれか1項に記載の表示媒体交換式の足拭きマット。
【請求項５】
前記表示シートの表面を覆う保護シートを含む請求項１ないし４のいずれか1項に記載の表示媒体交換式の足拭きマット。
【考案の詳細な説明】
【技術分野】
【０００１】
本考案は、例えば、建物の出入り口付近に設置される表示媒体交換式の足拭きマットに関する。
【背景技術】
【０００２】
建物の出入り口付近に設置される二次元コード付足拭きマットが開発されている。例えば、足拭きマットに二次元コードが捺染（プリント）されたもの（特許文献１）が知られている。また、基材となるゴムシートと表面に二次元コードが印刷された白色ゴムシートとが熱圧着され、さらに二次元コードの保護用に透明シートが熱圧着されて、二次元コードを読み取ることが出来る床敷き用マットが知られている（特許文献２）。
【先行技術文献】
【特許文献】
【０００３】
【特許文献１】実用新案登録第３１３６７４２号公報
【特許文献２】実用新案登録第３１５３３８４号公報
【考案の概要】
【考案が解決しようとする課題】
【０００４】
しかしながら、特許文献１の二次元コードが捺染された足拭きマットは、長期間使用するにつれ、マットが汚れたり摩耗したりし、又パイルの変形により二次元コードの鮮明な表示が長期間維持できないため、二次元コードの読み取り効率の劣化（低下）が避けられない。さらに、二次元コードの表示を変更するには、マット全体を入れ替えなければならない。また、特許文献２の二次元コードシートが熱圧着された床敷き用マットでも、熱圧着されているためマットと二次元コードは一体になっており、二次元コードをはじめとする広告等の表示を変更するためには、マット全体を入れ替えなければならない。
【０００５】
本考案の課題は、二次元コードをはじめとする広告表示等の表示媒体が容易に交換できる表示媒体交換式の足拭きマットを提供することにある。
【課題を解決するための手段】
【０００６】
上記課題を解決するために、本考案の表示媒体交換式の足拭きマットは、床面に載置される足拭きマットであって、下面が床面への接触面となり、上面に足拭き用のマット層が形成された基本ゴムシートの一部に、表示媒体をセットするための、マット層が形成されていない媒体設置領域が形成され、前記媒体設置領域に、その領域と実質的に同様の形状及び大きさを有するベースゴム片を剥離可能に接着または着脱可能に載置するとともに、ベースゴム片の表面に表示媒体となる表示シートが粘着層を介して貼り付けられ、表示媒体の内容を変更する際には、前記ベースゴム片を別の表示媒体が表現されたベースゴム片に置換するか、前記ベースゴム片の表面に貼られている表示シートを剥がして別の表示シートが貼着されることを特徴とする。
【０００７】
上記構成において、前記ベースゴム片を載置する位置に、前記ベースゴム片を嵌め込む凹部が形成された基本ゴムシートとすることができる。
【０００８】
また、上記構成において、前記ベースゴム片は、裏面に粘着層及び前記基本ゴムシート表面に接着するまで粘着層を被覆する剥離紙を含むことが好ましい。
【０００９】
前記表示シートは、表示面及びシート本体を含み、前記シート本体は、裏面に前記粘着層及び前記ベースゴム片へ剥離可能に接着するまで粘着層を被覆する剥離紙を含むこともできる。
【００１０】
さらに、表示シートの表面を覆う保護シートを含むこともできる。
【考案の効果】
【００１１】
本考案によれば、マット層が形成されていない媒体設置領域に、剥離可能にベースゴム片が貼り付け又は着脱可能に載置されるため、季節や期間などによる表示変更の際、表示媒体だけを変えれば良く、マット全体を変更することなく、安価で効率的に表示媒体を変更することができる。表示シートには、二次元コードに限らず、広告文、社名や商標、キャッチフレーズなど印刷で所望のものを表現でき、表示シートを変更することで、顧客ごとにカスタマイズした足拭きマットが容易に作成できる。このため、例えば足拭きマットの貸し出しなどをする際、返却されたマットを顧客のニーズに合わせて表示媒体を変更して、別の顧客に貸し出すこともできるため経済的である。つまり、少なくとも基本ゴムシートはそのまま使用でき、ベースゴム片を表示シートごと交換、または表示シートのみ簡単に交換する（ベースゴム片から剥離可能な場合）ことにより、無駄がなく、汎用性が高く、様々な広告主の要望に迅速に対応できる。また、ベースゴム片を基本ゴムシートから分離することもできるため、基本ゴムシートのマット層等に汚れや摩耗等が生じた場合、ベースゴム片の分離後、基本ゴムシートのみを、洗濯したり取り替えたりすることが可能である。
【００１２】
また、本考案によれば、基本ベースゴムシートに凹部を設けることにより、ベースゴム片は凹部内に嵌まり、マット層が形成されていない媒体設置領域からずれにくくなり、マットと表示媒体の一体性がより安定的に保たれる。さらに、表示シートの表面とマット層表面とを面一状に構成することができ、見栄えが良い。凹部が表示媒体を保持するため、粘着層を用いればさらに安定し、また粘着層を用いず、載置するだけでもよくなり、表示媒体の交換がさらに容易に行える。
【００１３】
また、本考案によれば、ベースゴム片に粘着層を被覆する剥離紙を設けることにより、ベースゴム片と基本ベースシートとに分離して作製することができる。基本ベースシートに要望のあった表示媒体を付けたベースゴム片を貼り付けることにより、汎用性の高い表示媒体付の足拭きマットができる。
【００１４】
さらに、本考案によれば、表示シートに粘着層を被覆する剥離紙があることで、表示シートとベースゴム片とに分離して製作することができ、個々の表示要望に対応しやすい。つまり、剥離紙付の表示シートの表示面に印刷を施し、剥離紙を剥がしてその表示面が表になるようにベースゴム片の上面に貼り付ければ、簡単に広告媒体（表示媒体）ができ、それを基本ゴムシートのマット層が形成されていない媒体設置領域にセットすれば、手軽に表示媒体付の足拭きマットとなる。
【００１５】
また、本考案によれば、表示シートの表面を覆う保護シートにより、表示シートに印刷された表示部が保護され、表示部の汚れや摩耗などを防ぐことができる。さらに、例えば表示シートが二次元コードの場合、保護シートにより二次元コードの読み取り効率の低下を抑制できる。
【図面の簡単な説明】
【００１６】
【図１】本考案に係る表示媒体を嵌め込む前の足拭きマットの実施例を示す断面図。
【図２】図１の表示媒体を嵌め込んだ足拭きマットの断面図。
【図３】図１の変形例を示す断面図。
【図４】本考案に係る別の表示媒体を嵌め込む前の足拭きマットの例を示す断面図。
【図５】図４の表示媒体を嵌め込んだ足拭きマットの横断面図。
【図６】基本ベースシートの変形例を示す断面図。
【図７】図６の平面図。
【図８】図６の基本ベースシートに表示媒体をセットする２つの異なる例を併せ示した足拭きマットの断面図。
【図９】図８の更なる変形例を示す断面図。
【図１０】本考案に係る足拭きマットの表示シートの表面に保護シートを設けた例を示す断面図。
【図１１】ベースゴム片の様々な設置パターンを示す平面図。
【考案を実施するための形態】
【００１７】
以下、本考案の実施形態を、図面を参照しつつ説明する。本考案に係る表示媒体交換式の足拭きマット１を図２に示した。図１には、足拭きマット１が形成される前の各部分を示したものである。足拭きマット１は、マット層１９を備えた基本ゴムシート５と、表示媒体となる表示シート２と、ベースゴム片３とを備えている。マット層１９は、ゴム上に繊維をループ上に植毛したループマット層や短繊維を植毛した起毛マットをはじめ、公知の各種マット層を採用できる。
【００１８】
表示シート２は、広告などが記載される表示部２１と、シート本体２２と、粘着層２３とを備え、またベースゴム片３に貼付するまで粘着層２３を被覆する剥離紙２４を備える。表示シート２は、プラスチックシート系のシート本体２２などの表面に広告などが印刷された表示部２１を備え、シート本体２２の裏面に粘着層２３、さらに剥離紙２４が積層にされたものである。なお、表示部２１は印刷に限らず、熱による型押し加工やレーザー加工で表示部２１が形成されても良い。また、ベースゴム片３は、粘着層３３を備え、さらに基本ベースシート５に貼付するまでは粘着層３３を被覆する剥離紙３４を備える。ベースゴム片３の粘着層３３は、粘着力の弱いもので剥離可能に貼り付けられるものが好ましく、また粘着層３３に代えて面ファスナーをベースゴム片３と基本ゴムシート５とにまたがるように設け（一方に雄ファスナー、他方に雌ファスナー）、この面ファスナーによりベースゴム片３を基本ゴムシート５に剥離可能に接着しても良い。
【００１９】
基本ゴムシート５は、表示媒体をセットするための、マット層１９が形成されていない媒体設置領域（以下、セット箇所８という）となる凹部１５を備える。ベースゴム片３を嵌め込めるように凹部１５は、基本ゴムシート５に凹んで形成される。
さらに、足拭きマット１の作成方法を説明すると、まず図１に示す表示シート２の剥離紙２４を剥がし、ベースゴム片３の表面に貼り付けてベースゴム片３と一体にさせ、次にベースゴム片３の剥離紙３４を剥がし、セット箇所８（凹部１５の底面）に粘着層３３で剥離可能に貼り付けて構成される。表示シート２とベースゴム片３との高さを凹部１５の深さに合わせると、基本ベースシート５の表面と表示部２１の表面とが面一になり、図２に示すような足拭きマット１となる。
【００２０】
また、剥離可能な粘着層２３及び粘着層３３とすることで、表示シート２とベースゴム片３と基本ゴムシート５とに分離されるので、表示シート２を変更する場合は、新しい表示シート２を新しい又は既存のベースゴム片３に貼り付けて、表示媒体を形成し、後は上述の手順で足拭きマット１とすればよい。
【００２１】
図３に示したベースゴム片３は、粘着層がなく、そのためベースゴム片３は凹部１５に粘着されず（非粘着）、置くだけとなるが、ベースゴム片３は凹部１５の側面に囲まれていることより基本ゴムシート５に保持される。以下に示す実施例において、共通する機能を有する部分にはそれぞれ同一符号を付して説明を省略した。
【００２２】
図４は、四方が壁面で囲まれた凹部ではなく、少なくとも一部が開放された切欠部１５をセット箇所８として、表示シート２付のベースゴム片３をセットする例である。表示部２１を短形のものとすれば、少なくともその１辺は、基本ゴムシート５の端縁となる（立ち上がる縁部がない）。図５は、ベースゴム片３の設置後の状態を示している。この場合、切欠部１５１の構造上、ベースゴム片３を載置するだけではその位置を安定的に維持することが難しいため、ベースゴム片３に粘着層３３を設けることが好ましい。切欠部１５１は縁の不要な構造のため、マットの端を有効的に使用できる。図５に示すように、ベースゴム片３を設置する際、基本ゴムシート５の端と表示シート２及びベースゴム片３との端とをそろえると良い。
【００２３】
図６は、凹みのないセット箇所８を有した基本ベースシート５を示し、その平面図の一例を図７に示した。セット箇所８は、マット層１９のない領域である。図７に示すように、セット箇所８はマット層１９に囲まれるように形成されてもよい。なお、セット箇所８（それに嵌め込む表示シート２とベースゴム片３も含む）の形は、図７に示すような方形状に限らず、例えば円形状のものや星型状など所望のもので構成されても良い。
【００２４】
図７、図８の基本ゴムシート５のセット箇所８に対して、図８に示すように、粘着層のないベースゴム片３を置くだけでもよいし、粘着層３３のあるベースゴム片３を剥離可能に貼り付けただけでも良い。また、これらの２種類のベースゴム片３を同時に基本ゴムシート５に並設してセットしても良い。例えば、表示媒体が短期的な期間限定の広告と、変更を生じない社名等の組み合わせの場合に、前者を置くだけのベースゴム片３、後者を粘着固定式のベースゴム片３とすることができる。図８には、ベースゴム片３が図６及び図７に示した基本ベースシート５にセットされているが、凹部１５を設けた図１のような基本ベースシート５にセットされてもよく、その組み合わせの形態は問わない。また、表示媒体の要望に合わせて、セット箇所８を複数設けても良い。
【００２５】
さらに、図９に示すように、基本ベースシート５の隅領域に、マット層１９が存在しないゴム表面で構成される単純なセット箇所８を設けることも可能であり、これにより簡便に表示媒体を設置する箇所を確保できる。また図１０は、表示部２１の表面を保護する保護シート２８を含む表示シート２を示している。
この保護シート２８は、透明樹脂フィルム等で形成され、例えば印刷が施された後の表示シート２の表面に熱圧着等により固着され、外部から表示内容を視認でき、かつその表示部２１を摩耗等から保護する。
【００２６】
以上、本考案の好ましい実施例について説明をしたが、上記構成に限定されるものではない。例えば、凹部１５の有無にかかわらず、ベースゴム片３の基本ゴムシート５に対するセット箇所８は、平面視で図１１に示すように、種々選択することができる。（Ａ）〜（Ｄ）は、短形のベースゴム片３（セット箇所）を、（Ｅ）は三角形のものを示し、（Ｆ）は円形でかつ複数の場合、（Ｇ）（Ｈ）は曲線図形によりベースゴム片３が形成される場合である。また、各実施例及び変形例は、技術的な矛盾を生じない範囲において、互いに組み合わせて使用することもできる。
【符号の説明】
【００２７】
１  足拭きマット
１５  凹部
２  表示シート
２１  表示部
２３，３３  粘着層
２４  剥離紙
３  ベースゴム片
３２  剥離紙
５  基本ゴムシート
８  セット箇所
１５１  切欠部
【図１】
0003174203.tif 000003
【図２】
0003174203.tif 000004
【図３】
0003174203.tif 000005
【図４】
0003174203.tif 000006
【図５】
0003174203.tif 000007
【図６】
0003174203.tif 000008
【図７】
0003174203.tif 000009
【図８】
0003174203.tif 000010
【図９】
0003174203.tif 000011
【図１０】
0003174203.tif 000012
【図１１】
0003174203.tif 000013